(57)【要約】      （修正有）【課題】充放電試験を安定して行うと共に、システムに問題が発生して試験結果が失われた場合でも、試験結果を容易に復旧することができる技術を提供する。【解決手段】二次電池の充放電試験を行って試験データを送信する充放電装置２０３と、充放電装置２０３に接続される二次電池の識別情報を読み取り、識別情報を無線で送信する携帯端末１０３と、二次電池の試験結果を蓄積して管理するサーバ装置１０４と、充放電装置が送信する試験データと携帯端末が送信する識別データとを受信して試験結果を作成し、サーバ装置に送信すると共に、予め決められた所定期間だけ当該試験結果を保持する中継装置２０１とを有することを特徴とする。【選択図】図１
2015118035.tif 000002
【特許請求の範囲】
【請求項１】
二次電池の充放電試験を行って試験データを送信する充放電装置と、
前記充放電装置に接続される二次電池の識別情報を読み取り、前記識別情報を無線で送信する携帯端末と、
二次電池の試験結果を蓄積して管理するサーバ装置と、
前記充放電装置が送信する試験データと前記携帯端末が送信する識別データとを受信して試験結果を作成し、前記サーバ装置に送信すると共に、予め決められた所定期間だけ当該試験結果を保持する中継装置と
を有することを特徴とする充放電試験システム。
【請求項２】
請求項１に記載の充放電試験システムにおいて、
二次電池の試験プログラムの作成と、試験開始指示又は試験終了指示と、試験結果の表示とを行う操作端末を更に有し、
前記中継装置は、
前記操作端末が作成した前記試験プログラムをモニタして前記充放電装置の試験内容を取得するデータ収集部と、
前記操作端末から受信する前記試験開始指示に応じて前記充放電装置が送信する試験データの取得を開始し、前記試験終了指示に応じて前記充放電装置が送信する試験データの取得を終了して試験結果の作成を行う結果作成部と、
前記結果作成部が作成した試験結果を前記サーバ装置と前記操作端末とに送信する結果送信部と、
前記結果作成部が作成した試験結果を記憶媒体に記憶し、前記所定期間だけ保持する結果保存部と
を有することを特徴とする充放電試験システム。
【請求項３】
請求項１または請求項２に記載の充放電試験システムにおいて、
前記中継装置は、予め決められた処理を行うＰＬＣ（Proglamable Logic Controler）で実現し、
前記操作端末は、タッチパネル式のインターフェースを有する
ことを特徴とする充放電試験システム。
【請求項４】
充放電装置により二次電池の充放電試験を行い、充放電試験の試験結果をサーバ装置に蓄積して管理する試験結果管理方法において、
携帯端末により前記充放電装置に接続される二次電池の識別情報を読み取り、
前記充放電装置が送信する試験データと前記携帯端末が二次電池から読み取った識別情報とを受信する中継装置は、試験結果を作成し、前記サーバ装置に送信すると共に、予め決められた所定期間だけ当該試験結果を保持する
ことを特徴とする試験結果管理方法。
【請求項５】
請求項４に記載の試験結果管理方法において、
操作端末により、二次電池の試験プログラムの作成と、試験開始指示又は試験終了指示と、試験結果の表示とを行い、
前記中継装置は、前記操作端末が作成した前記試験プログラムをモニタして前記充放電装置の試験内容を取得し、前記操作端末から受信する前記試験開始指示に応じて前記充放電装置が送信する試験データの取得を開始し、前記試験終了指示に応じて前記充放電装置が送信する試験データの取得を終了して試験結果の作成を行い、当該試験結果を前記サーバ装置と前記操作端末とに送信すると共に、当該試験結果を記憶媒体に記憶し前記所定期間だけ保持する
ことを特徴とする試験結果管理方法。
【発明の詳細な説明】
【技術分野】
【０００１】
本発明は、充放電試験システムおよび試験結果管理方法に関する。
【背景技術】
【０００２】
近年、電気自動車、太陽電池システムの夜間対応、災害時の非常用蓄電池など様々な分野で二次電池が注目されている。二次電池は、製造時に充放電試験装置により充電試験や放電試験（充放電試験と称する）が行われ、品質が管理されている（例えば特許文献１参照）。
【先行技術文献】
【特許文献】
【０００３】
【特許文献１】特開２０１０−２２３８９６号公報
【発明の概要】
【発明が解決しようとする課題】
【０００４】
ところが、一般的な充放電試験システムは、試験プログラムの作成や試験結果の蓄積および管理などを汎用のパソコン（パーソナルコンピュータ）で行うことが多く、パソコンが試験中にフリーズするなどの問題が発生することが多い。そして、試験結果の蓄積や管理を行うパソコンが故障した場合、試験結果が失われるなどの問題が生じる。
【０００５】
本件開示の充放電試験システムおよび試験結果管理方法は、充放電試験を安定して行うと共に、システムに問題が発生して試験結果が失われた場合でも、試験結果を容易に復旧することができる技術を提供することを目的とする。
【課題を解決するための手段】
【０００６】
一つの観点によれば、充放電試験システムは、二次電池の充放電試験を行って試験データを送信する充放電装置と、充放電装置に接続される二次電池の識別情報を読み取り、識別情報を無線で送信する携帯端末と、二次電池の試験結果を蓄積して管理するサーバ装置と、充放電装置が送信する試験データと携帯端末が送信する識別データとを受信して試験結果を作成し、サーバ装置に送信すると共に、予め決められた所定期間だけ当該試験結果を保持する中継装置とを有することを特徴とする。
【０００７】
一つの観点によれば、充放電装置により二次電池の充放電試験を行い、充放電試験の試験結果をサーバ装置に蓄積して管理する試験結果管理方法において、携帯端末により充放電装置に接続される二次電池の識別情報を読み取り、充放電装置が送信する試験データと携帯端末が二次電池から読み取った識別情報とを受信する中継装置は、試験結果を作成し、サーバ装置に送信すると共に、予め決められた所定期間だけ当該試験結果を保持することを特徴とする。
【発明の効果】
【０００８】
本件開示の充放電試験システムおよび充放電試験装置は、充放電試験を安定して行うと共に、システムに問題が発生して試験結果が失われた場合でも、試験結果を容易に復旧することができる。
【図面の簡単な説明】
【０００９】
【図１】充放電試験システムの一例を示す図である。
【図２】充放電装置の一例を示す図である。
【図３】ＰＬＣの一例を示す図である。
【図４】充放電試験システムで試験を行うときの処理例を示す図である。
【図５】比較例として、充放電試験システムの一例を示す図である。
【発明を実施するための形態】
【００１０】
以下、図面を用いて実施形態を説明する。
【００１１】
図１は、充放電試験システム１００の一例を示す。図１において、充放電試験システム１００は、充放電試験設備１０１と、タッチパネル制御装置１０２と、ハンディ端末１０３と、サーバ（ＰＣ（Personal Computer））１０４とを有する。また、充放電試験設備１０１は、ＰＬＣ（Programable Logic Controler（中継装置））２０１と、ＨＵＢ（ハブ（集線装置））２０２と、充放電装置２０３ａ、２０３ｂおよび２０３ｃとを有する。ここで、充放電装置２０３ａ、２０３ｂおよび２０３ｃは、同一又は同様の機能を有する。以降の説明において、充放電装置２０３ａ、２０３ｂおよび２０３ｃに共通の内容を説明する場合、符号末尾のアルファベットを省略して、例えば充放電装置２０３と表記する。同様に、二次電池１５０ａ、１５０ｂおよび１５０ｃについても、共通の内容を説明する場合は、符号末尾のアルファベットを省略して、例えば二次電池１５０と表記する。
【００１２】
図１において、充放電試験設備１０１のＰＬＣ２０１とタッチパネル制御装置１０２とは、ＨＵＢ（ハブ）１０５を介してＬＡＮ（Local Area Netwrok）で接続されている。また、ＰＬＣ２０１と充放電装置２０３とは、ＨＵＢ２０２を介してＬＡＮで接続されている。尚、サーバ１０４は、設置場所に応じて、充放電試験設備１０１の内部にあるＨＵＢ２０２に接続してもよいし、充放電試験設備１０１の外部にあるＨＵＢ１０５に接続してもよい。さらに、ＨＵＢ１０５は、ネットワーク１０６に接続され、遠隔地の顧客のサーバ１０７は、ネットワーク１０６を介してサーバ１０４と通信を行うことができる。
【００１３】
次に、図１の各ブロックについて詳しく説明する。
【００１４】
充放電試験設備１０１は、複数の充放電装置２０３により、複数の二次電池１５０の試験を同時に行うことができる。そして、試験結果は、サーバ１０４に出力され、サーバ１０４は、二次電池１５０毎に試験結果を管理する。例えば、充放電試験設備１０１は、８つの充放電回路を有する充放電装置２０３を１５台有し、１２０個の二次電池１５０（或いは、後述する二次電池１５０のセル３０３）を接続して、充放電試験を行うことができる。
【００１５】
タッチパネル制御装置１０２は、タッチパネルを操作インターフェースとするＣＰＵ（Central Processing Unit）を備える専用端末である。例えば、タッチパネル制御装置１０２は、タッチパネルインターフェースを有するＦＡ（Factory Automation）用コンピュータで実現される。オペレータは、タッチパネル制御装置１０２を操作して、試験プログラムの作成、充放電試験設備１０１への試験開始／試験停止などの指令などを行い、タッチパネル制御装置１０２に表示される試験結果などを確認する。
【００１６】
ハンディ端末１０３は、二次電池１５０の識別情報（シリアル番号など）や、充放電装置２０３の識別情報（マガジンＩＤ（IDentifier）など）を読み取るための装置である。ハンディ端末１０３は、カメラまたはスキャナを有し、二次元コードなどで印刷された二次電池１５０や充放電装置２０３の識別情報を読み取る。また、ハンディ端末１０３は、無線ＬＡＮ（Local Area Netwrok）により、ＨＵＢ２０２に接続され、ＰＬＣ２０１やサーバ１０４に読み取った識別情報を送信する。オペレータは、ハンディ端末１０３を持ち歩いて、充放電装置２０３の識別情報と二次電池１５０の識別情報とを読み取り、充放電装置２０３と二次電池１５０との対応がわかるように、ＰＬＣ２０１やサーバ１０４に送信する。例えば、ハンディ端末１０３は、連続して読み取った充放電装置２０３の識別情報と二次電池１５０の識別情報とをペアにして、ＰＬＣ２０１やサーバ１０４に送信する。これにより、ＰＬＣ２０１やサーバ１０４は、どの充放電装置２０３にどの二次電池１５０が接続されているのかを示す対応関係を知ることができる。例えば図１において、ＰＬＣ２０１やサーバ１０４は、上記の対応関係を用いて、充放電装置２０３ａから受信した試験データが二次電池１５０ａの試験データであることを判別できる。尚、ハンディ端末１０３の代わりに、汎用のスマートホンを用いてもよい。ここで、以降の説明において、試験データは、充放電装置２０３が送信する電圧や電流などの生の計測値を意味し、試験結果は、生の計測値を試験内容毎に整理したデータを意味する。例えば、二次電池１５０毎に整理される試験結果は、充電試験時の電圧特性、充電試験時の電流特性、放電試験時の電圧特性、放電試験時の電流特性などである。
【００１７】
サーバ１０４は、二次電池１５０の試験結果を二次電池１５０毎に記憶する。
【００１８】
ＨＵＢ１０５は、ＰＬＣ２０１と、タッチパネル制御装置１０２と、ネットワーク１０６とをＬＡＮで接続するための集線装置である。
【００１９】
ネットワーク１０６は、インターネットなどの汎用のネットワークでもよいし、顧客と接続される専用のネットワークでもよい。
【００２０】
サーバ１０７は、二次電池１５０を出荷する顧客側にあるサーバで、顧客側の製品（例えば電気自動車など）に搭載する二次電池１５０の性能を管理する。顧客は、サーバ１０７からネットワーク１０６を介して、製造メーカーのサーバ１０４に接続し、二次電池１５０の識別情報を入力して特定の二次電池１５０の試験結果をトレーサデータとして調べることができる。これにより、顧客は、問題などが生じた二次電池１５０の製造時の試験結果を知ることができる。
【００２１】
また、図１において、ＰＬＣ２０１は、プログラムにより任意の動作を実現できる制御装置で、充放電試験システム１００専用の動作を行うようにプログラムされている。本実施形態では、ＰＬＣ２０１は、サーバ１０４およびタッチパネル制御装置１０２と、充放電装置２０３との間で中継を行う装置（中継装置と称する）として機能する。例えば、ＰＬＣ２０１は、オペレータが操作するタッチパネル制御装置１０２の操作内容に応じて、充放電装置２０３を制御する。また、ＰＬＣ２０１は、ハンディ端末１０３から送信される二次電池１５０の識別情報と、充放電装置２０３の識別情報と、試験内容とを判別して、二次電池１５０毎に試験結果を整理してサーバ１０４に送信する。例えば、ＰＬＣ２０１は、二次電池１５０ａの充電特性を充放電装置２０３ａで計測した試験結果として整理し、サーバ１０４に送信する。
【００２２】
ＨＵＢ２０２は、ＰＬＣ２０１と、サーバ１０４と、各充放電装置２０３と、ハンディ端末１０３とをＬＡＮに接続するための集線装置である。
【００２３】
充放電装置２０３は、充電回路または放電回路に設定可能な装置である。充放電装置２０３は、タッチパネル制御装置１０２で作成された試験プログラムに基づいて、二次電池１５０の充放電電圧や充放電電流を計測し、ＨＵＢ２０２を介して計測した値を示すデータをＰＬＣ２０１およびサーバ１０４に出力する。
【００２４】
このように、本実施形態に係る充放電試験システム１００は、充放電装置２０３に接続される二次電池１５０の充電試験や放電試験などを行って、ＰＬＣ２０１で試験結果を整理し、サーバ１０４で試験結果を記憶して管理する。
【００２５】
ここで、ＰＬＣ２０１は、予め設定された所定期間（例えば２週間）だけサーバ１０４に送信した試験結果を保持し、所定期間が過ぎると、試験結果の古い方から順に新しい試験結果を上書きする。
【００２６】
図２は、充放電装置２０３の一例を示す。図２において、充放電装置２０３は、ＩＦＢ（InterFace Board：インターフェース盤）３０１と、充放電回路（ＣＯＮＶ：CONVerter）３０２（１）、３０２（２）、・・・、３０２（８）とを有する。ここで、ＣＯＮＶ３０２（１）、３０２（２）、３０２（８）は、同一又は同様の機能を有する。以降の説明において、ＣＯＮＶ３０２（１）、３０２（２）、３０２（８）に共通の内容を説明する場合、符号末尾の（番号）を省略して、例えばＣＯＮＶ３０２と表記する。
【００２７】
図２において、充放電装置２０３は、８個のＣＯＮＶ３０２を有する。そして、各ＣＯＮＶ３０２は、接続端子３０４で二次電池１５０に接続される。二次電池１５０は、セル３０３（１）、３０３（２）、・・・、３０３（８）とを有する。ここで、セル３０３（１）、３０３（２）、３０３（８）は、同一又は同様の機能を有する。以降の説明において、セル３０３（１）、３０３（２）、３０３（８）に共通の内容を説明する場合、符号末尾の（番号）を省略して、例えばセル３０３と表記する。
【００２８】
図２において、二次電池１５０は、８個のセル３０３を有する。そして、各セル３０３は、充放電装置２０３の各ＣＯＮＶ３０２に接続端子３０４により接続される。
【００２９】
ＩＦＢ３０１は、図１に示したＨＵＢ２０２に接続するためのインターフェース盤であり、ＣＰＵ機能を有する。そして、ＩＦＢ３０１は、ＰＬＣ２０１から受け取る試験プログラムに基づいて、８つのＣＯＮＶ３０２の設定（充電動作設定、放電動作設定、充放電電圧設定、充放電電流設定など）を行う。また、ＩＦＢ３０１は、８つのＣＯＮＶ３０２が計測する充放電電圧や充放電電流を読み取り、試験データとして、ＰＬＣ２０１側に送信する。
【００３０】
ＣＯＮＶ３０２は、充電回路または放電回路に設定可能なコンバータ回路を有し、設定された充放電電圧や充放電電流を二次電池１５０に与える。また、ＣＯＮＶ３０２は、二次電池１５０に接続する接続端子３０４の端子間電圧を計測する回路、二次電池１５０に流れる電流を計測する回路などを有し、充放電電圧や充放電電流を計測してＩＦＢ３０１に出力する。
【００３１】
このようにして、充放電装置２０３は、試験プログラムに基づいて、二次電池１５０の充放電試験を行い、試験中の充放電電圧や充放電電流を計測して、試験データとしてＰＬＣ２０１側に送信する。尚、ハンディ端末１０３が二次電池１５０や充放電装置２０３から読み取る識別情報は、ＣＯＮＶ３０２単位やセル３０３単位の識別情報であってもよい。ＣＯＮＶ３０２単位やセル３０３単位の識別情報ではない場合でも、ＣＯＮＶ３０２の配置やセル３０３の配置は固定なので、ＰＬＣ２０１は、二次電池１５０と充放電装置２０３の対応が分かれば、ＣＯＮＶ３０２とセル３０３の対応も判別できる。
【００３２】
図３は、ＰＬＣ２０１の一例を示す。図３において、ＰＬＣ２０１は、第１通信部４０１と、制御部４０２と、第２通信部４０３と、メモリ４０４とを有する。
【００３３】
第１通信部４０１は、サーバ１０４およびタッチパネル制御装置１０２と通信するための通信回路を有する。第１通信部４０１は、例えば、タッチパネル制御装置１０２が作成した試験プログラムを受信したり、試験結果をサーバ１０４やタッチパネル制御装置１０２に送信する。
【００３４】
制御部４０２は、ハンディ端末１０３との通信処理、充放電装置２０３との通信処理、タッチパネル制御装置１０２との通信処理、サーバ１０４との通信処理などを行う。例えば、制御部４０２は、ハンディ端末１０３から二次電池１５０や充放電装置２０３の識別情報を受信する。また、制御部４０２は、タッチパネル制御装置１０２から受信した試験プログラムを充放電装置２０３に設定したり、充放電装置２０３から試験データを受信する。尚、充放電装置２０３は、試験データに充放電装置２０３の識別情報を付加してＰＬＣ２０１に送信する。さらに、試験データには、充放電装置２０３のＣＯＮＶ３０２を特定する情報や試験内容の情報も付加されている。これにより、ＰＬＣ２０１は、充放電装置２０３のどのＣＯＮＶ３０２で測定した何の試験データであるかを判別できる。例えば、試験データに充放電装置２０３ａのＣＯＮＶ３０２（１）の情報と、充電試験の情報とが付加されている場合、ＰＬＣ２０１は、試験データの電圧値や電流値が二次電池１５０ａのセル３０３（１）の充電電圧値・充電電流値を示していることを認識する。このようにして、ＰＬＣ２０１の制御部４０２は、試験データを二次電池１５０のセル３０３単位で整理し、試験結果を作成することができる。
【００３５】
第２通信部４０３は、充放電装置２０３のＩＦＢ３０１、ハンディ端末１０３、或いは、サーバ１０４と通信するための通信回路を有する。第２通信部４０３は、例えば、試験プログラムを充放電装置２０３に送信したり、充放電装置２０３から試験データを受信する。或いは、ハンディ端末１０３から二次電池１５０や充放電装置２０３の識別情報を受信する。
【００３６】
メモリ４０４は、充放電装置２０３から受信する試験データや制御部４０２が作成した試験結果を予め設定された所定期間（例えば２週間など）だけ保持しておくための不揮発性のメモリである。これにより、停電時でも所定期間の試験データや試験結果が失われないので、サーバ１０４の故障などで試験結果が失われた場合でも、ＰＬＣ２０１のメモリ４０４に記憶されている試験結果により、サーバ１０４を復旧することができる。
【００３７】
次に、制御部４０２について説明する。図３において、制御部４０２は、データ収集部４５１と、結果作成部４５２と、結果保存部４５３と、結果送信部４５４とを有する。尚、ハンディ端末１０３との通信処理、充放電装置２０３との通信処理、タッチパネル制御装置１０２との通信処理、サーバ１０４との通信処理などの処理ブロックは省略する。
【００３８】
データ収集部４５１は、充放電装置２０３から試験データを取得したり、ハンディ端末１０３が読み取った識別情報を取得する。また、データ収集部４５１は、タッチパネル制御装置１０２から受信した試験プログラムを充放電装置２０３に設定する時に、試験内容の情報を取得することができる。或いは、試験内容は、充放電装置２０３が送信する試験データに付加しておいてもよい。これにより、データ収集部４５１は、充放電装置２０３から受信する試験データから試験内容を知ることができる。
【００３９】
結果作成部４５２は、データ収集部４５１が取得した情報を整理して試験結果を作成する。例えば、結果作成部４５２は、充放電装置２０３ａのＣＯＮＶ３０２（１）により行われた二次電池１５０ａのセル３０３（１）の充電試験で計測した充電電圧値や充電電流値の表などを試験結果として作成する。
【００４０】
結果保存部４５３は、結果作成部４５２が作成した試験結果をメモリ４０４に所定期間だけ保存する。そして、結果保存部４５３は、所定期間が経過した試験結果に新たに作成する試験結果を上書きする。
【００４１】
結果送信部４５４は、結果作成部４５２が作成した試験結果をサーバ１０４やタッチパネル制御装置１０２に送信する。或いは、結果送信部４５４は、故障などから復旧したサーバ１０４から過去の試験結果の要求があった場合に、メモリ４０４に保存されている試験結果を読み出して、サーバ１０４に送信する。
【００４２】
このようにして、ＰＬＣ２０１の制御部４０２は、試験結果を作成してサーバ１０４やタッチパネル制御装置１０２に送信し、サーバ１０４で試験結果を保存して管理したり、タッチパネル制御装置１０２に試験結果を表示することができる。
【００４３】
図４は、充放電試験システム１００で試験を行うときの処理例を示す。尚、図４において、二次電池１５０は、充放電装置２０３に接続された状態になっている。
【００４４】
ステップＳ１０１において、オペレータは、ハンディ端末１０３により充放電装置２０３に接続されている二次電池１５０の識別情報を読み取る。尚、オペレータは、二次電池１５０が接続されている充放電装置２０３の識別情報も読み取る。
【００４５】
ステップＳ１０２において、ハンディ端末１０３は、読み取った識別情報を無線ＬＡＮによりＨＵＢ２０２経由でＰＬＣ２０１に送信する。
【００４６】
ステップＳ１０３において、ＰＬＣ２０１は、ハンディ端末１０３から識別情報を取得する。尚、識別情報は、先に説明したように、二次電池１５０の識別情報と充放電装置２０３の識別情報とを少なくとも含む。
【００４７】
ステップＳ１０４において、オペレータは、タッチパネル制御装置１０２を操作して試験プログラムを作成する。試験プログラムは、二次電池１５０の試験内容を含み、例えば充電試験、充電電流、充電電圧、充電時間、或いは試験パターンなどである。
【００４８】
ステップＳ１０５において、オペレータは、タッチパネル制御装置１０２を操作して、試験プログラムをＨＵＢ１０５を介してＰＬＣ２０１に送信する。尚、送信される試験プログラムには、試験プログラムを設定する充放電装置２０３の識別情報が付加されている。充放電装置２０３の識別情報は、図１に示した充放電装置２０３ａや充放電装置２０３ｂなど、特定の充放電装置２０３を指定するために用いられる。
【００４９】
ステップＳ１０６において、ＰＬＣ２０１は、タッチパネル制御装置１０２から受信する試験プログラムをＨＵＢ２０２を介して充放電装置２０３に転送する。
【００５０】
ステップＳ１０７において、ＰＬＣ２０１は、充放電装置２０３に転送する試験プログラムから充放電装置２０３毎の試験内容を取得する。或いは、充放電装置２０３から送信される試験データから試験内容を得る場合は、ＰＬＣ２０１は、ステップＳ１０７の処理を省略してもよい。
【００５１】
ステップＳ１０８において、充放電装置２０３は、ＰＬＣ２０１から転送される試験プログラムに基づいて、充電回路又は放電回路の設定を行う。
【００５２】
ステップＳ１０９において、オペレータは、タッチパネル制御装置１０２により、充放電装置２０３に試験を開始させる操作を行う。例えば、タッチパネル制御装置１０２の画面に表示された試験開始ボタンにオペレータがタッチする。
【００５３】
ステップＳ１１０において、タッチパネル制御装置１０２は、試験開始指令をＨＵＢ１０５を介してＰＬＣ２０１に送信する。
【００５４】
ステップＳ１１１において、ＰＬＣ２０１は、タッチパネル制御装置１０２から受信する試験開始指令をＨＵＢ２０２を介して充放電装置２０３に転送する。この時、ＰＬＣ２０１は、充放電装置２０３に転送する試験開始指令をモニタして、試験の開始を知ることができる。
【００５５】
ステップＳ１１２において、充放電装置２０３は、試験プログラムに従って接続されている二次電池１５０の試験を行う。そして、充放電装置２０３は、試験中に計測する充放電電圧や充放電電流などの試験データをＰＬＣ２０１に送信する。尚、試験データには、計測した充放電装置２０３の識別情報や試験内容などの情報が付加されている。ここで、充放電装置２０３は、二次電池１５０との接続不良を無くすために、予め決められた規定の電圧が得られるまで、二次電池１５０の端子に充放電装置２０３の端子を接続するコンタクト動作を数回行う。充放電装置２０３は、規定の電圧が出れば接続が正常であると判断し、予め設定された所定回数（例えば５回など）のコンタクト動作を行っても規定の電圧が出ない場合は、アラームをＰＬＣ２０１経由でタッチパネル制御装置１０２に送信する。
【００５６】
ステップＳ１１３において、ＰＬＣ２０１は、充放電装置２０３から受信する試験データを一時的に保持する。尚、ＰＬＣ２０１は、ステップＳ１０３で取得した二次電池１５０と充放電装置２０３の識別情報と、ステップＳ１０７で取得した試験内容と、ステップＳ１１３で取得した試験データとを関連付ける。例えば、ＰＬＣ２０１は、充放電装置２０３の識別情報により、当該充放電装置２０３に接続されている二次電池１５０と当該充放電装置２０３で計測された試験データと試験内容とを関連付けることができる。
【００５７】
ステップＳ１１４において、オペレータは、タッチパネル制御装置１０２により、充放電装置２０３に試験を終了させる操作を行う。例えば、タッチパネル制御装置１０２の画面に表示された試験終了ボタンにオペレータがタッチする。
【００５８】
ステップＳ１１５において、タッチパネル制御装置１０２は、試験終了指令をＨＵＢ１０５を介してＰＬＣ２０１に送信する。
【００５９】
ステップＳ１１６において、ＰＬＣ２０１は、タッチパネル制御装置１０２から受信する試験開始指令をＨＵＢ２０２を介して充放電装置２０３に転送する。この時、ＰＬＣ２０１は、充放電装置２０３に転送する試験終了指令をモニタして、試験の終了を知ることができる。
【００６０】
ステップＳ１１７において、ＰＬＣ２０１は、試験データを整理して試験結果を作成する。
【００６１】
ステップＳ１１８において、ＰＬＣ２０１は、作成した試験結果をサーバ１０４に送信する。
【００６２】
ステップＳ１１９において、ＰＬＣ２０１は、作成した試験結果をタッチパネル制御装置１０２に送信する。
【００６３】
ステップＳ１２０において、サーバ１０４は、ＰＬＣ２０１から受信した試験結果をハードディスクなどに保存する。
【００６４】
ステップＳ１２１において、タッチパネル制御装置１０２は、ＰＬＣ２０１から受信した試験結果をタッチパネルの表示板に表示する。
【００６５】
ステップＳ１２２において、ＰＬＣ２０１は、試験結果を予め設定された所定期間だけ保持する。例えば、ＰＬＣ２０１は、２週間だけ試験結果を保持する。或いは、ＰＬＣ２０１が試験結果を記憶するメモリ４０４の容量を決めておき、容量が一杯になった場合に、古い試験結果を上書きして、新しい試験結果を記憶するようにしてもよい。例えば、メモリ４０４の容量が１ＴＢｙｔｅの場合、ＰＬＣ２０１は、常に、最新の１ＴＢｙｔｅの試験結果を保持することができる。
【００６６】
このように、本実施形態に係る充放電試験システム１００は、中継装置であるＰＬＣ２０１が試験結果を作成し、当該試験結果をサーバ１０４に送信すると共に、予め設定された所定期間だけ保持する。これにより、例えば、サーバ１０４が故障して試験結果が失われた場合でも最新の所定期間の試験結果がＰＬＣ２０１に保持されているので、サーバ１０４を容易に復旧することができる。
【００６７】
ここで、比較例として、ＰＬＣ２０１が試験結果を作成しない場合について説明する。
【００６８】
図５は、比較例として、充放電試験システム８００の一例を示す。尚、図５において、図１と同符号のブロックは、図１と同一又は同様の機能を有する。充放電試験システム８００は、充放電試験設備８０１と、制御装置（ＰＣ）８０２と、サーバ（ＰＣ）８０４とを有する。
【００６９】
充放電試験設備８０１は、図１の充放電試験設備１０１に対応するが、ＰＬＣ９０１およびＨＵＢ９０２の動作が図１のＰＬＣ２０１およびＨＵＢ２０２の動作と異なる。ここで、ＨＵＢ９０２は、ハンディ端末１０３に無線ＬＡＮで接続する機能を持たない。また、ＰＬＣ９０１は、図１で説明した充放電装置２０３と二次電池１５０との接続を示す対応関係を保持する機能を有していない。このため、ＰＬＣ９０１は、図１のＰＬＣ２０１とは異なり、充放電装置２０３から受信する試験データがどの二次電池１５０の試験データであるか分からないので、試験結果を作成することができない。
【００７０】
制御装置８０２は、図１のタッチパネル制御装置１０２に対応するブロックである。従って、オペレータは、キーボードやマウスを操作して、試験プログラムの作成、充放電試験設備８０１への試験開始／試験停止などの指令などを行う。そして、オペレータは、サーバ８０４に蓄積されている試験結果を取得して、モニタ画面により試験結果などを確認する。ここで、図１のタッチパネル制御装置１０２が予め決められた処理を行う専用の装置であるのに対して、図５の制御装置８０２は、汎用のパーソナルコンピュータと汎用のＯＳ（Operating Syatem）が用いられている。このため、制御装置８０２は、充放電試験に関係しない割り込み処理に起因するフリーズが生じるため、タッチパネル制御装置１０２と比べて動作が不安定である。
【００７１】
サーバ８０４は、図１のサーバ１０４に対応するが、サーバ８０４は、ハンディ端末１０３から二次電池１５０や充放電装置２０３の識別情報を直接受信し、ＰＬＣ９０１から転送される充放電装置２０３の試験データを整理して、試験結果を作成する処理を行う。そして、サーバ８０４は、サーバ１０４と同様に、二次電池１５０の試験結果を二次電池１５０毎に記憶して管理する。
【００７２】
このように、比較例として示した充放電試験システム８００は、サーバ８０４がハンディ端末１０３から識別情報を受信して、二次電池１５０毎に試験データを整理して試験結果を作成するので、サーバ８０４の負荷が重くなるという問題がある。また、ハンディ端末１０３は、サーバ８０４に直接、二次電池１５０の識別情報を送信する。このため、ＰＬＣ９０１は、図１に示したＰＬＣ２０１のように、充放電装置２０３が出力する試験データがどの二次電池１５０の試験データであるかが分からないので、試験結果を整理することは難しい。さらに、制御装置８０２は、汎用のＯＳを有する汎用のパーソナルコンピュータであるため、動作が不安定になるという問題がある。特に、試験結果は、サーバ８０４だけに蓄積されるので、サーバ８０４が故障して試験結果が失われた場合に、試験結果の復旧が難しくなるという問題が生じる。
【００７３】
これに対して、本実施形態に係る充放電試験システム１００は、中継装置であるＰＬＣ２０１が試験結果を作成し、当該試験結果をサーバ１０４に送信すると共に、予め設定された所定期間だけＰＬＣ２０１で保持する。これにより、例えば、サーバ１０４が故障して試験結果が失われた場合でも所定期間の試験結果がＰＬＣ２０１に保持されているので、サーバ１０４を容易に復旧することができる。
【００７４】
以上の詳細な説明により、実施形態の特徴点および利点は明らかになるであろう。これは、特許請求の範囲がその精神および権利範囲を逸脱しない範囲で前述のような実施形態の特徴点および利点にまで及ぶことを意図するものである。また、当該技術分野において通常の知識を有する者であれば、あらゆる改良および変更に容易に想到できるはずである。したがって、発明性を有する実施形態の範囲を前述したものに限定する意図はなく、実施形態に開示された範囲に含まれる適当な改良物および均等物に拠ることも可能である。
【符号の説明】
【００７５】
１００・・・充放電試験システム；１０１・・・充放電試験設備；１０２・・・タッチパネル制御装置；１０３・・・ハンディ端末；１０４・・・サーバ；１０５・・・ＨＵＢ；１０６・・・ネットワーク；１０７・・・サーバ；１５０，１５０ａ，１５０ｂ，１５０ｃ・・・二次電池；２０１・・・ＰＬＣ；２０２・・・ＨＵＢ；２０３，２０３ａ，２０３ｂ，２０３ｃ・・・充放電装置；３０１・・・ＩＦＢ；３０２・・・ＣＯＮＶ；３０３・・・セル；３０４・・・接続端子；４０１・・・第１通信部；４０２・・・制御部；４０３・・・第２通信部；４０４・・・メモリ；４５１・・・データ収集部；４５２・・・結果作成部；４５３・・・結果保存部；４５４・・・結果送信部
【図１】
2015118035.tif 000003
【図２】
2015118035.tif 000004
【図３】
2015118035.tif 000005
【図４】
2015118035.tif 000006
【図５】
2015118035.tif 000007